(57)【要約】【課題】  便利に使用できる運動健康増進器具の制御システムを提供する。【解決手段】  中央処理装置を備える。入力インタフェース３０は中央処理装置に接続され、使用者の操作により特定の命令を中央処理装置に入力可能である。出力インタフェース４０は中央処理装置に接続され、中央処理装置に制御されて使用者の判読用に特定の情報を表示可能である。読み出し装置５０は中央処理装置に接続されている。データユニットは使用者に携帯されるとともに、読み出し装置に読み取らせたデータを記録可能である。中央処理装置は読み出し装置を介してデータユニットが記録したデータを判読するとともに、データ内容に基づいて特定の信号を運動健康増進器具の機械装置駆動ユニットに送出することにより、運動健康増進器具の使用状態を制御する。【選択図】    図２
0003102390.tif 000002
【実用新案登録請求の範囲】
【請求項１】
運動健康増進器具の制御システムであって、
中央処理装置と、
前記中央処理装置に接続され、使用者の操作により特定の命令を前記中央処理装置に入力可能である入力インタフェースと、
前記中央処理装置に接続され、前記中央処理装置に制御されて使用者の判読用に特定の情報を表示可能である出力インタフェースと、
前記中央処理装置に接続された少なくとも１つの読み出し装置と、
使用者に携帯させるとともに、前記読み出し装置に読み取らせたデータを記録可能である少なくとも１つのデータユニットとを備え、
前記中央処理装置は前記読み出し装置を介して前記データユニットが記録したデータを判読するとともに、データ内容に基づいて特定の信号を運動健康増進器具の機械装置駆動ユニットに送出することにより、運動健康増進器具の使用状態を制御することを特徴とする運動健康増進器具の制御システム。
【請求項２】
前記中央処理装置にデータを書き込みまたは読み取らせることが可能である前記中央処理装置に接続されたメモリユニットをさらに備え、前記中央処理装置は前記各データユニットのデータに基づいてそれが示す使用者の身分を識別するとともに、当該身分と対応するデータを照合して、対応するデータに基づいて前記機械装置駆動ユニットを制御可能であることを特徴とする請求項１記載の運動健康増進器具の制御システム。
【請求項３】
前記メモリユニットは、各使用者の「使用可能である時間」、「使用可能である回数」、「使用可能である点数」、「使用可能である期間」、「使用可能である時間帯」または「使用可能であるマシン」のうちいずれか１つまたは複数の総合的に示された使用権限に関連するデータを記録し、前記中央処理装置は前記各データユニットに対応する使用権限に関連するデータに基づいて運動健康増進器具を作動させるか否かを決定可能であることを特徴とする請求項２記載の運動健康増進器具の制御システム。
【請求項４】
前記中央処理装置は、各使用者が運動健康増進器具を使用する際の作動モードに関連するデータを前記メモリユニットに書き込むことが可能であり、前記中央処理装置は前記各データユニットに対応する作動モードに関連するデータに基づいて運動健康増進器具を当該モードで作動させるように制御可能であることを特徴とする請求項２記載の運動健康増進器具の制御システム。
【請求項５】
前記中央処理装置は、各使用者が使用する運動健康増進器具の運動量に関連するデータを前記メモリユニットに書き込むことが可能であり、必要なときには、前記運動量に関連するデータを互いに加算する等の演算を行うことが可能であり、前記中央処理装置は前記各データユニットに対応する運動量に関連するデータを使用者の判読用に前記出力インタフェースに表示可能であることを特徴とする請求項２記載の運動健康増進器具の制御システム。
【請求項６】
前記データユニットは、「使用可能である時間」、「使用可能である回数」、「使用可能である点数」、「使用可能である期間」、「使用可能である時間帯」または「使用可能であるマシン」のうちいずれか１つまたは複数の総合的に示される使用権限に関連するデータを記録し、前記中央処理装置は前記各データユニットに記録された使用権限に関連するデータに基づいて運動健康増進器具を作動させるか否かを決定可能であることを特徴とする請求項１記載の運動健康増進器具の制御システム。
【請求項７】
前記中央処理装置は、前記読み出し装置を介して前記各データユニットの「使用可能である時間」、「使用可能である回数」または「使用可能である点数」のデータを書き改めることが可能であることを特徴とする請求項６記載の運動健康増進器具の制御システム。
【請求項８】
前記中央処理装置は、使用者が運動健康増進器具を使用する際の作動モードに関連するデータを前記読み出し装置を介して前記データユニットに書き込むことが可能であり、前記中央処理装置は前記各データユニットに記録された作動モードに関連するデータに基づいて当該運動健康増進器具を当該作動モードで作動するように制御可能であることを特徴とする請求項１記載の運動健康増進器具の制御システム。
【請求項９】
前記中央処理装置は、使用者が使用する運動健康増進器具の運動量に関連するデータを前記読み出し装置を介して前記データユニットに書き込むことが可能であり、必要なときには、前記運動量に関連するデータを互いに加算する等の演算を行うことが可能であり、前記中央処理装置は前記各データユニットに記録された運動量に関連するデータを読み取るとともに、使用者の判読用に前記出力インタフェースに表示可能であることを特徴とする請求項１記載の運動健康増進器具の制御システム。
【請求項１０】
前記データユニットに、ランダムアクセスメモリ（ＲＡＭ）が設けられ、前記読み出し装置は前記データユニットを差し込むための差し込みポートになっていることを特徴とする請求項１記載の運動健康増進器具の制御システム。
【請求項１１】
前記データユニットは、マグネットバーまたはチップを設けたカードにし、前記読み出し装置を対応するカード読み取り機にして、前記データユニットがカードを挿入または通す方式で前記読み出し装置にデータを読み取らせることを特徴とする請求項１記載の運動健康増進器具の制御システム。
【請求項１２】
前記データユニットは、表面にバーコードを有し、前記読み出し装置は対応するバーコードスキャナとして光学走査方式で前記データユニットに記録されたデータを読み取ることが可能であることを特徴とする請求項１記載の運動健康増進器具の制御システム。
【請求項１３】
前記制御システムは、外部のコンピュータと互いにデータを伝送可能である接続関係を形成可能であり、前記中央処理装置は前記コンピュータ内のハードディスクに対しデータの書き込みまたは読み取りが可能であることを特徴とする請求項１記載の運動健康増進器具の制御システム。
【考案の詳細な説明】
【技術分野】
【０００１】
本考案は、運動健康増進器具に係わるもので、さらに詳しく言えば、携帯できるデータユニットのデータに基づいて運動健康増進器具の使用状態を決めることができる制御システムに関するものである。
【背景技術】
【０００２】
現在、トレーニングジムでよく見られる中または大型の運動健康増進器具、例えば、ジョギングマシン、サイクリングマシンまたはステッパーなどは、通常、機械制御および操作インタフェースの多くがすでに電子化およびプログラム化されており、使用者はメータボードの制御ボタンを用いて、器具の作動状態を直接制御することができる。ジョギングマシンを例にとると、使用者は簡単に制御ボタンを利用して、キャタピラの回転速度およびジョギング台の傾斜角度（熟達者は予め設定したタイムプログラムの変換も選択できる）を調整して、ジョギング運動の難易度および実行リズムを設定することができる。一般的に言って、使用者は特定のスポーツに対して、通常、ある種の作動状態に慣れるものだが、状態の設定が合っていないと、同一の使用者であっても、運動するとむしろ疲れや不自然さを感じることがある。このほか、数少ない先進的な運動健康増進器具においては、シートおよび手すりなどの部位の相対的距離または相対的角度は制御ボタンで電動調整できるようになっているので、個人の身長や慣れた姿勢に合わせることができる。しかし、作動モード或いは位置関係にしても、トレーニングジムでは利用者が多く、しかも、不特定であるために、ある使用者がある器具を使用するときには、当該器具は、通常、初期状態かまたは前の使用者が設定した状態になっているため、使用者は毎回、器具を使用する前に設定し直さなければならないので、面倒で不便でもある。
【０００３】
さらに、現有のスポーツ器具は、大半がメータボード上に使用者のその回の運動量（例えば、ジョギングの距離数および使用時間）を表示することができるが、電源またはメータをリセットすると、データは失われてしまう。そのため、使用者が長期にわたる運動の管理（例えば、毎週または毎月のジョギング距離および時間の掌握等）を行う場合には、自ら各回の運動量を記録しなければならず、これもまた非常に不便である。
【０００４】
このほか、現在のトレーニングジムの大半は会員制という利用方式を採用しており、利用者は所定の金額を支払ったのちに一定期間、自由にトレーニングジムのすべての施設を使用することができる。想像しても分かるように、この種の制度では、毎日トレーニングジムに通って器具を使用する人には得だと言えるが、逆にたまにようやく１回行くだけという人には損になる。後者は自己の権利を放棄したと言うのは、実際のところ公平かつ妥当でないのはもちろんで、なぜなら、各個人が利用できる時間は同じではないために、同じ期間を料金徴収の基準とするのは、決して理想的或いは唯一の料金徴収モデルではないからである。一方、回数に基づく費用計算（会員制の下での非会員のようなもの）の採用も、毎回トレーニングジムに入るときに固定の１回分の費用を支払う必要があり、これも必ずしも公平ではなく、その理由は、トレーニングジム内の器具が占用される状況は時によって異なり、各使用者による器具の実際の使用状況をバランスよくするのは難しいからである（例を挙げれば、甲はトレーニングジムに行って主にジョギングマシンを使用したいが、普段は運良く十分に使用できても、ある回は長い時間待ってようやく空いたマシンを使用できた場合、照らし合わせれば、甲がその回に支出しなければならない費用は明らかに甲の損となる）。総じて言えば、従来の運動健康増進器具では、各使用者が実際に使用した時間を統計して残しておくことができないために、業者が「実際の使用状況に基づく費用支払」の利用モデルを制定して利用者に選択させることができない状況にあった。
【考案の開示】
【考案が解決しようとする課題】
【０００５】
本考案は、従来の運動健康増進器具における前述した様々な欠点を解決することを主旨とし、主要な目的は、各使用者が器具使用の実際の状況を理解して、さらに、各人の使用権限を把握することにより、業者が制定実施する「実際の使用状況に基づく費用支払」の利用モデルを提供できる運動健康増進器具の制御システムを提供することである。
【０００６】
本考案の第２の目的は、使用者の身分を識別して、自動的に器械の作動モードまたは位置関係を当該使用者が予め設定した習慣的な状態に切り換えることができ、使用者は毎回自ら設定する必要はなく、至便でヒューマンティックな運動健康増進器具の制御システムを提供することである。
【０００７】
本考案の第３の目的は、使用者のある期間内の総運動量または使用履歴を把握して表示することができ、しかも、使用の間隔および他人の中間利用による影響を受けず、使用者が長期にわたる運動の管理を行うのに至便となる運動健康増進器具の制御システムを提供することである。
【課題を解決するための手段】
【０００８】
上記の目的を達成するために、本考案が提供する運動健康増進器具の制御システムには、中央処理装置と、当該中央処理装置に接続され、使用者に操作させて特定の命令を当該中央処理装置に入力できる入力インタフェースと、当該中央処理装置に接続され、当該中央処理装置に制御されて特定の情報を表示して使用者に判読させることができる出力インタフェースと、当該中央処理装置に接続された少なくとも１つの読み出し装置と、使用者に携帯させるとともに、当該読み出し装置に読み取らせたデータを記録できる少なくとも１つのデータユニットとが含まれており、当該中央処理装置は当該読み出し装置を介して当該データユニットが記録した前記データを判読するとともに、データ内容に基づいて特定の信号を当該運動健康増進器具の機械装置駆動ユニットに送出するので、運動健康増進器具の使用状態を制御することができる。これにより、各使用者はそれぞれ前記データユニットを所有することができ、運動健康増進器具を使用する際には、データユニットを提供して当該読み出し装置にデータを読み取らせ、当該中央処理装置に直接データユニットに予め記憶された個人データ（例えば、習慣的な状態、使用履歴および総運動量または使用権限など）を読み取らせ、または、データユニットが示す使用者の身分を判別してデータベースと照合して個人データを取得させ、さらに、使用中にデータユニットにデータを書き込ませる（書き改める）ことで、前記の目的を達成することができる。
【考案を実施するための最良の形態】
【０００９】
本考案の好ましい実施例を挙げ、本考案の構造および効果を図面を参照して詳しく説明する。
図１に示したように、本考案の好ましい一実施例で提供する運動健康増進器具の制御システムは、装置の構成上、中央処理装置１０と、メモリユニット２０と、入力インタフェース３０と、出力インタフェース４０と、４つの読み出し装置５０と、若干のデータユニット６０とが含まれている。図２および図３に示したように、具体的な形式上、本実施例では、制御システムの多数の装置は図２に示したようなメータ７０で構成され、運動健康増進器具を操作したり、見たりするのに至便な位置に設けられており、システムのデータユニット６０は図３に示したような携帯できる部品形態に作られていて、使用しないときは、当該メータ７０と切り離して、それぞれ別個に取り扱うことができる。
【００１０】
当該中央処理装置（ＣＰＵ）１０はシステムを制御する実行コアで、具体的には単一集積回路（ＩＣ）にすることが可能であり、また、複数のＩＣさらには関連する回路を加えて構成することも可能であり、当該メータ７０の内部に配設されて、回路の配線を介して運動健康増進器具の機械装置駆動ユニット８０に接続されており、特定の信号を当該駆動ユニット８０に送出するので、器具の使用状態を制御することができる。例を挙げて言えば、使用する運動健康増進器具をジョギングマシンとした場合、中央処理装置１０は少なくともジョギングマシンにおいてキャタピラを動かして回転させ、ジョギング台前端を昇降させる２つのモータの回転を制御することができ、即ち、キャタピラの回転速度および速度の変化（回転の開始および停止を含む）を制御し、また、ジョギング台の傾斜度を制御することで、ジョギング運動の難易度および実行リズムを決めることができ、サイクリングマシンまたはステッパーなどの器具に応用した場合、運動減衰の強弱および変化を制御することができる。さらに、応用する運動健康増進器具のシートまたは手すりなどの部位を電動調整できる場合、中央処理装置１０は前記駆動ユニット８０を介してこれを制御することもできる（このような例は数多くある）。
【００１１】
当該メモリユニット２０も当該メータ７０内部に設置され、回路を介して中央処理装置１０に接続されており、構成上、本実施例のメモリユニット２０には読み出し専用メモリ（ＲＯＭ）およびランダムアクセスメモリ（ＲＡＭ）が含まれ、読み出し専用メモリの部分には予め書き込んだコードおよびデータ資料が記憶されており、中央処理装置１０が読み出して演算または判断する根拠となり、ランダム書き込みメモリの部分は中央処理装置１０によるデータの臨時的な書き込みまたは読み出しを受け取ることができる。付帯的に説明すれば、前記のＲＡＭまたはＲＯＭ形式のほかにも、本実施例のメモリユニット２０には自由に読み出し又は書き込みができる高容量の記憶媒体（例えば、ハードディスク）を併用（または単独使用）することができ、一方、配置したメモリユニット２０は中央処理装置１０の実行作業を補助するが、運用方式および構造設計の違いによっては、本実施例の制御システムでは、メモリユニットを排除することも可能であるほか、現有の集積回路技術においては、メモリと演算処理ユニットを整合させて一体化した形式がすでにあり、この形式も本実施例で言う中央処理装置に属している。
【００１２】
当該入力インタフェース３０は回路を介して中央処理装置１０に接続され、使用者が特定の命令を中央処理装置１０に入力するように操作できる。本実施例の入力インタフェース３０には実質的に若干の制御ボタン３２があり、当該制御ボタン３２は当該メータ７０の表面に露呈し、使用者にタッチまたはターン方式で指示を行わせることができる（従来技術に属する）。
【００１３】
当該出力インタフェース４０は回路を介して中央処理装置１０に接続され、中央処理装置１０に制御されて特定の情報を表示して使用者に読ませることができる。本実施例の出力インタフェース４０には実質的に液晶パネル４２があり、当該液晶パネル４２は当該メータ７０の表面に露呈し、文字、数字、符号または曲線や図などの形で総合情報を表示することができる（従来技術に属する）。もちろん、本実施例の出力インタフェースでは、デジタルディスプレイ（７段ディスプレイ）または発光ダイオードなどのその他の装置を採用することも可能である。
【００１４】
当該読み出し装置５０は回路を介して中央処理装置１０に接続され、当該データユニット６０は使用者の携帯に供され、読み出し装置５０に読み出させたデータを記録する。つまり、本実施例の読み出し装置５０とデータユニット６０の形式が互いにうまくマッチングして初めて、読み出し装置５０にデータユニット６０のデータを読み取らせることができる。本実施例においては、データユニット６０は、実質的に現在のコンピュータ分野でかなり普及している「携帯ディスク」に類似しており、ＵＢＳ（Universal  Serial  Bus）形式の端子６２を備え、各当該読み出し装置５０はＵＳＢ形式の差し込みポートになっていて、しかも、差し込み口は当該メータ７０の表面に露出しており、このように、データユニット６０を読み出し装置５０に挿し込むと、当該中央処理装置１０は読み出し装置５０を介してデータユニット６０に記憶されたデジタルデータを読み取るとともに、データをデータユニット６０に書き込み、または、データユニット６０のデータを削除および修正することができる（従来技術に属する）。もちろん、本実施例における読み出し装置とデータユニットは前記形式の採用に限られるものではなく、例えば、データユニットをマグネットバーまたはチップを設けたカード（金融カード、クレジットカードまたはゲートカードの類に似ている）にし、読み出し装置はそれに対応するカード読み取り機にして、データユニットはカードを挿入または通す方式で読み出し装置にデータを読み取らせることができ、または、データユニットを表面にバーコード（bar  code）を備えたカードにし、読み出し装置はそれに対応するバーコードスキャナにして、光学走査方式でデータユニットに記録されたデータを読み取ることもできる。
【００１５】
当該中央処理装置１０は読み出し装置５０を介してデータユニット６０のデータを判読するとともに、データ内容に基づいて特定の信号を当該運動健康増進器具の機械装置駆動ユニット８０に送出するので、運動健康増進器具の使用状態（具体的意義は前に同じ）を制御することができる。前記判読操作に関して、例を挙げて言えば、当該中央処理装置１０は、データユニット６０に予め記憶された個人データ（例えば、習慣的な状態、使用履歴および総運動量または使用権限など）を直接抽出し、または、データユニット６０が示す使用者の身分を判別するだけで、データベース（メモリユニット２０）の対応する欄の位置を照合して個人データを取得することができ、後者を採用した場合、データユニット６０に記録されたデータは変わることはなく、しかも、中央処理装置１０は必要なときにデータベースのデータを修正することができる。
【００１６】
また、本実施例では複数の読み出し装置５０を設けており、構造設計上、各読み出し装置５０に対等の地位をもたせることができ、しかも、いかなるデータユニット６０もいかなる読み出し装置５０に差し込むことができ、同時に複数のデータユニット６０を差し込むと、中央処理装置１０はすべてのデータユニット６０のデータ（仮に、データがある程度違う場合は、読み出し装置５０の予め設定された優先権に基づいて決まる）を受信することができ、または、各読み出し装置５０に特定の意義をもたせ、中央処理装置１０は異なる読み出し装置５０のデータユニット６０に対して異なるアクセス方式をもたせる設計にすることもでき、同時に類別が符合するデータユニット６０でないと、特定の読み出し装置５０に挿入することができないようにすることもできる（符合しない場合は、中央処理装置１０はアクセスを拒絶する）。さらに、補充説明を要することは、実質的に、本実施例における読み出し装置５０は予めその他の機能（例えば、ハードディスクの外付け、パソコンとの接続またはトレーニングジムのイントラネットへの接続）に使用することができ、必ずしもデータユニット６０差し込み専用のものではないことである。
【００１７】
もちろん、本実施例の制御システムをその他のコンピュータに接続した場合も、直接、中央処理装置またはその他の装置は配線またはケーブルなどの有線形式を利用して、または、赤外線転送の無線形式を利用して、当該コンピュータとデータを互いに転送できる接続関係を構成することができ、必ずしも読み出し装置を介した出入力ポートにする必要はない。外付けコンピュータにより、制御システムは接続された（パーソナル）コンピュータにあるハードディスクを前記データベースと見なして、データにアクセスまたはバックアップすることができる。
【００１８】
上記構造により、本実施例の「運動健康増進器具の制御システム」は以下の使用方式および機能を備えている。
１．トレーニングジム業者は各利用者にデータユニット６０を支給することができ、しかも、各データユニット６０は利用者が支払った金額または選択した利用モデルに基づいて定めた使用権限に関連するデータを記録しており、例えば、当該データには「使用できる時間」、「使用できる回数」、「使用できる点数」（各器具の単位点数とは異なる）、「使用できる期間」、「使用できる時間帯」または「使用できるマシン」などの１項目または複数の総合項目が示されており、利用者は運動健康増進器具を使用する際、データユニット６０を提供して中央処理装置１０に読み出し装置５０を介して判読および認可させてはじめて器具を起動させることができ（「期間」、「時間帯」または「マシン」が合致しなければ起動しない）、しかも、前記「時間」、「回数」または「点数」などの方式を採用した場合は、使用過程において、中央処理装置１０は自動的に当該データユニット６０または前記データベース（メモリユニット２０）の対応する数値を解除し、当該数値がゼロに戻ったときに、運動健康増進器具は運動を停止する。換言すれば、上記メカニズムにより、業者は一種の「実際の使用状況に基づく費用支払」の利用モデルを制定して実施し、利用者に個人の状況に基づいた最適かつ最も経済的な方法を選択させることができ、この種の利用モデルのやりとりは実質的に公平で合理的である。
【００１９】
２．トレーニングジムの利用者または家に運動健康増進器具をもつ家庭会員は、それぞれデータユニット６０を所有することができ、運動健康増進器具を使用する際に、当該データユニット６０をメータ７０上の読み出し装置５０に挿入する。初めて使用する場合、使用者はまず入力インタフェース３０の制御ボタン３２を介して運動健康増進器具の作動モード（例えば、減衰の大きさ）または位置関係（例えば、シートの高さ）を設定することができ、適していると感じた場合は、制御ボタンを介して中央処理装置１０にこのときの使用方式をデータユニット６０またはメモリユニット２０に記録するように命令することができ、次回に当該運動健康増進器具を使用するときに、当該データユニット６０を提供すれば、中央処理装置１０はデータを介して読み取り、即ち、当該使用者の習慣的な使用状態を知って、自動的（または相談したのち）に機械装置を当該状態に調整することができ、このように使用者は毎回自ら設定する必要はなく、至便でヒューマンティックなものになる。もちろん、使用者は運動健康増進器具を使用する際に、随時、制御ボタン３２を介して作動モードまたは位置関係を再調整できるとともに、随時データユニット６０またはメモリユニット２０内に残るデータを書き改めることができる。
【００２０】
３．当該中央処理装置１０はデータユニット６０のデータにより現在の使用者の身分を判別するとともに、同一使用者の毎回の運動量（例えば、ジョギングの距離および所用時間）を期日と一緒にデータユニット６０またはメモリユニット２０に記憶することができる。このように、使用者は運動健康増進器具を使用する際に、随時データユニット６０またはメモリユニット２０内の記録を呼び出して、出力インタフェース４０のパネルを介して自分のある期間内（例えば、その週または過去１カ月）の総運動量または使用履歴を見ることができるので、運動の管理を行うのに非常に至便である。
【図面の簡単な説明】
【００２１】
【図１】本考案の一実施例による運動健康増進器具の制御システムのユニットを示すブロック図である。
【図２】本考案の一実施例による運動健康増進器具の制御システムのメータを示す外観図である。
【図３】本考案の一実施例による運動健康増進器具の制御システムの携帯式データユニットを示す斜視図である。
【符号の説明】
【００２２】
１０  中央処理装置、２０  メモリユニット、３０  入力インタフェース、３２  制御ボタン、４０  出力インタフェース、４２  液晶パネル、５０  読み出し装置、６０  データユニット、６２  端子、７０  メータ、８０  駆動ユニット
【図１】
0003102390.tif 000003
【図２】
0003102390.tif 000004
【図３】
0003102390.tif 000005